(57)【特許請求の範囲】
【請求項１】
造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、前記各機能モジュールの連設方向と略平行するように前記造営面に固定されて、基本機能モジュールと並べた状態で拡張機能モジュールが取着される連設用レールとを備え、当該連設用レールが、前記連結方向に沿って並べた複数のレール片を連結して構成され、
前記各レール片に、電力供給を行うための電源ラインと情報信号の伝達を行うための情報ラインとを設けるとともに、各レール片の連結部位に電源ラインおよび情報ラインをそれぞれ電気的に接続するための電源用接続部および情報用接続部を設け、電源ラインおよび情報ラインと各機能モジュールの間を電気的に接続したことを特徴とする配線システム。
【請求項２】
造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、前記各機能モジュールの連設方向と略平行するように前記造営面に固定されて、基本機能モジュールと並べた状態で拡張機能モジュールが取着される連設用レールとを備え、当該連設用レールが、前記連結方向に沿って並べた複数のレール片を連結して構成され、
前記各レール片に、電力供給を行うための電源ラインを設けるとともに、各レール片の連結部位に互いの電源ラインを電気的に接続するための電源用接続部を設け、電源ラインと各機能モジュールの間を電気的に接続してあり、電源ラインを通じて電力線搬送通信により情報信号を伝達することを特徴とする配線システム。
【請求項３】
前記連設用レールの連設方向における端部を造営面に固定する固定手段を設けたことを特徴とする請求項１又は２の何れかに記載の配線システム。
【請求項４】
前記連設用レールが、連接方向の端部のみで造営面に固定されたことを特徴とする請求項３記載の配線システム。
【請求項５】
造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、枠状に形成されて枠内に基本機能モジュールと並べて拡張機能モジュールが取着されるとともに、基本機能モジュールが埋込配設されるスイッチボックス、又は、造営材に設けた埋込用穴に基本機能モジュールを埋込配設するために用いる取付枠の何れかに固定されるプレート枠とを備え、前記連設方向に沿う前記プレート枠の枠部材が、前記連結方向に沿って並べた複数の枠片を連結して構成され、
前記枠片に、電力供給を行うための電源ラインと情報信号の伝達を行うための情報ラインとを設けるとともに、各枠片の連結部位に電源ラインおよび情報ラインをそれぞれ電気的に接続するための電源用接続部および情報用接続部を設け、電源ラインおよび情報ラインと各機能モジュールの間を電気的に接続したことを特徴とする配線システム。
【請求項６】
造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、枠状に形成されて枠内に基本機能モジュールと並べて拡張機能モジュールが取着されるとともに、基本機能モジュールが埋込配設されるスイッチボックス、又は、造営材に設けた埋込用穴に基本機能モジュールを埋込配設するために用いる取付枠の何れかに固定されるプレート枠とを備え、前記連設方向に沿う前記プレート枠の枠部材が、前記連結方向に沿って並べた複数の枠片を連結して構成され、
前記枠片に、電力供給を行うための電源ラインを設けるとともに、各枠片の連結部位に互いの電源ラインを電気的に接続するための電源用接続部を設け、電源ラインと各機能モジュールの間を電気的に接続してあり、電源ラインを通じて電力線搬送通信により情報信号を伝達することを特徴とする配線システム。
【請求項７】
前記枠部材の連設方向における端部を造営面に固定する固定手段を設けたことを特徴とする請求項５又は６の何れかに記載の配線システム。
【請求項８】
前記枠部材が、連接方向の端部のみで造営面に固定されたことを特徴とする請求項７記載の配線システム。
【発明の詳細な説明】
【技術分野】
【０００１】
本発明は、配線システムに関するものである。
【背景技術】
【０００２】
従来、端末器を通じて負荷の操作（監視）制御を行うシステムには、中央監視装置から端末器へ、複極のベースバンド信号からなる伝送信号を時分割多重によって送り、各端末器ではこの伝送信号を利用して情報の授受を行うとともに、端末回路部の電源を得るシステムがあった（特許文献１）。
【０００３】
そしてこのシステムでは、埋め込み型の配線器具用に規格されているスイッチボックスとこれに対応する取付枠を用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックスに取り付け、残りの片側を壁面に沿わせるように配置し、夫々の取付窓に操作用端末器を取り付けることで、２つの操作用端末器を併設する構成を採用していた。また取付窓間に設けた導電片を両側の取付窓に設けた操作用端末器のリード片を接触させることで、一方の操作用端末器（スイッチボックス側）から他方の操作用端末器へ信号線を送り配線する構成となっている。
【０００４】
ところで、このような従来システムでは伝送信号により端末器の端末回路部に電力を供給することができるものの、例えば信号線の電流容量等の制限から制御用端末器により制御される負荷への電源供給は夫々の設置場所において商用電源から供給する構成であった。そのため、２線の信号線を各端末器間で接続するだけでよいため、信号線について省配線化を図ることできるものの、負荷に対する電源線の配線が従前のままであるため、制御用端末器の設置場所が限定されるという課題があった。
【０００５】
そこで、このような課題を解決するために、造営面に固定されて、先行配線された電力線および情報線を介して電力の供給と情報信号の授受とを行う基本機能モジュールと、当該基本機能モジュールに連結され、基本機能モジュールを介して少なくとも電力の供給と情報信号の伝達との何れかが行われる拡張機能モジュールとを用いた配線システムが提案されており、この配線システムでは基本機能モジュールに対して拡張機能モジュールを連結するだけで、拡張機能モジュールにおいて電力路や情報路の確保を行うことができる。
【特許文献１】特許第３１３６００６号公報（段落番号０００４，０００５、００１５、図１、図３７）
【発明の開示】
【発明が解決しようとする課題】
【０００６】
上述した配線システムでは、基本機能モジュールに対して１乃至複数の拡張機能モジュールを横並びに連結しているため、連結する拡張機能モジュールの数が増えると、拡張機能モジュールを基本機能モジュールに連結する部位に偏荷重が加わり、拡張機能モジュールの接続状態が不安定になるという問題があった。しかも、必要とする機能に応じて連設する拡張機能モジュールの数が増減するため、拡張機能モジュールの数が少ない場合と多い場合とで、拡張機能モジュールの固定状態が異なる可能性があり、拡張機能モジュールの数に関係なく拡張機能モジュールの固定を安定させたいという要求があった。
【０００７】
本発明は上記問題点に鑑みて為されたものであり、その目的とするところは、基本機能モジュールに連設される拡張機能モジュールの数に関係無く、拡張機能モジュールを安定に固定できる配線システムを提供することにある。
【課題を解決するための手段】
【０００８】
上記目的を達成するために、請求項１の発明は、造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、各機能モジュールの連設方向と略平行するように造営面に固定されて、基本機能モジュールと並べた状態で拡張機能モジュールが取着される連設用レールとを備え、当該連設用レールが、連結方向に沿って並べた複数のレール片を連結して構成され、各レール片に、電力供給を行うための電源ラインと情報信号の伝達を行うための情報ラインとを設けるとともに、各レール片の連結部位に電源ラインおよび情報ラインをそれぞれ電気的に接続するための電源用接続部および情報用接続部を設け、電源ラインおよび情報ラインと各機能モジュールの間を電気的に接続したことを特徴とする。
【００１０】
請求項２の発明は、造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、各機能モジュールの連設方向と略平行するように造営面に固定されて、基本機能モジュールと並べた状態で拡張機能モジュールが取着される連設用レールとを備え、当該連設用レールが、連結方向に沿って並べた複数のレール片を連結して構成され、各レール片に、電力供給を行うための電源ラインを設けるとともに、各レール片の連結部位に互いの電源ラインを電気的に接続するための電源用接続部を設け、電源ラインと各機能モジュールの間を電気的に接続してあり、電源ラインを通じて電力線搬送通信により情報信号を伝達することを特徴とする。
【００１１】
請求項３の発明は、請求項１又は２の何れかの発明において、連設用レールの連設方向における端部を造営面に固定する固定手段を設けたことを特徴とする。
【００１２】
請求項４の発明は、請求項３の発明において、連設用レールが、連接方向の端部のみで造営面に固定されたことを特徴とする。
【００１３】
請求項５の発明は、造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、枠状に形成されて枠内に基本機能モジュールと並べて拡張機能モジュールが取着されるとともに、基本機能モジュールが埋込配設されるスイッチボックス、又は、造営材に設けた埋込用穴に基本機能モジュールを埋込配設するために用いる取付枠の何れかに固定されるプレート枠とを備え、連設方向に沿うプレート枠の枠部材が、連結方向に沿って並べた複数の枠片を連結して構成され、枠片に、電力供給を行うための電源ラインと情報信号の伝達を行うための情報ラインとを設けるとともに、各枠片の連結部位に電源ラインおよび情報ラインをそれぞれ電気的に接続するための電源用接続部および情報用接続部を設け、電源ラインおよび情報ラインと各機能モジュールの間を電気的に接続したことを特徴とする。なお、プレート枠が固定される取付枠は、造営材に埋込配設されたスイッチボックスに取り付けられたものでも、スイッチボックスを無くして造営材に直接取り付けられたものでも良い。
【００１５】
請求項６の発明は、造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、枠状に形成されて枠内に基本機能モジュールと並べて拡張機能モジュールが取着されるとともに、基本機能モジュールが埋込配設されるスイッチボックス、又は、造営材に設けた埋込用穴に基本機能モジュールを埋込配設するために用いる取付枠の何れかに固定されるプレート枠とを備え、連設方向に沿うプレート枠の枠部材が、連結方向に沿って並べた複数の枠片を連結して構成され、枠片に、電力供給を行うための電源ラインを設けるとともに、各枠片の連結部位に互いの電源ラインを電気的に接続するための電源用接続部を設け、電源ラインと各機能モジュールの間を電気的に接続してあり、電源ラインを通じて電力線搬送通信により情報信号を伝達することを特徴とする。
【００１６】
請求項７の発明は、請求項５又は６の何れかの発明において、枠部材の連設方向における端部を造営面に固定する固定手段を設けたことを特徴とする。
【００１７】
請求項８の発明は、請求項７の発明において、枠部材が、連接方向の端部のみで造営面に固定されたことを特徴とする。
【発明の効果】
【００１８】
請求項１の発明によれば、造営面に固定される連設用レールに拡張機能モジュールを固定しているので、拡張機能モジュールを安定に固定することができ、しかも連設用レールは、連結方向に沿って並べた複数のレール片を連結して構成されるので、拡張機能モジュールの数に応じた個数のレール片を連結することで、連設用レールの長さを所望の長さに変更することができ、拡張機能モジュールの数に関係無く拡張機能モジュールの固定を安定させることができる。
【００１９】
そのうえ、連設用レールを構成するレール片に電源ラインと情報ラインとを設けているので、連設用レールに各機能モジュールを固定するだけで、各機能モジュールの間を電気的に接続することができる。
【００２０】
請求項２の発明によれば、造営面に固定される連設用レールに拡張機能モジュールを固定しているので、拡張機能モジュールを安定に固定することができ、しかも連設用レールは、連結方向に沿って並べた複数のレール片を連結して構成されるので、拡張機能モジュールの数に応じた個数のレール片を連結することで、連設用レールの長さを所望の長さに変更することができ、拡張機能モジュールの数に関係無く拡張機能モジュールの固定を安定させることができる。さらに、連設用レールを構成するレール片に電源ラインを設けており、電源ラインを通じて電力線搬送通信により情報信号を伝達しているので、連設用レールに各機能モジュールを固定するだけで、各機能モジュールの間を電気的に接続することができる。しかも、情報線を先行配線する必要が無く、電力線のみを先行配線しておけば良いので、配線施工を簡略化することができる。
【００２１】
請求項３の発明によれば、固定手段によって連設用レールの端部が造営面から浮き上がるのを防止でき、造営面への加工を最小限にして複数の拡張機能モジュールの固定を安定させることができる。
【００２２】
請求項４の発明によれば、連接用レールが端部のみで造営面に固定されているので、造営面への加工を最小限にすることができる。
【００２３】
請求項５の発明によれば、造営面に固定されるプレート枠に拡張機能モジュールを固定しているので、拡張機能モジュールを安定に固定することができ、しかも連設方向に沿うプレート枠の枠部材が、連結方向に沿って並べた複数の枠片を連結して構成されるので、拡張機能モジュールの数に応じた個数の枠片を連結することで、枠部材の長さを所望の長さに変更することができ、拡張機能モジュールの数に関係無く拡張機能モジュールの固定を安定させることができる。
【００２４】
そのうえ、プレート枠の枠部材を構成する枠片に電源ラインと情報ラインとを設けているので、プレート枠に各機能モジュールを固定するだけで、各機能モジュールの間を電気的に接続することができる。
【００２５】
請求項６の発明によれば、造営面に固定されるプレート枠に拡張機能モジュールを固定しているので、拡張機能モジュールを安定に固定することができ、しかも連設方向に沿うプレート枠の枠部材が、連結方向に沿って並べた複数の枠片を連結して構成されるので、拡張機能モジュールの数に応じた個数の枠片を連結することで、枠部材の長さを所望の長さに変更することができ、拡張機能モジュールの数に関係無く拡張機能モジュールの固定を安定させることができる。さらに、プレート枠の枠部材を構成する枠片に電源ラインを設けており、電源ラインを通じて電力線搬送通信により情報信号を伝達しているので、プレート枠に各機能モジュールを固定するだけで、各機能モジュールの間を電気的に接続することができる。しかも、情報線を先行配線する必要が無く、電力線のみを先行配線しておけば良いので、配線施工を簡略化することができる。
【００２６】
請求項７の発明によれば、固定手段によって枠部材の端部が造営面から浮き上がるのを防止でき、造営面への加工を最小限にして複数の拡張機能モジュールの固定を安定させることができる。
【００２７】
請求項８の発明によれば、枠部材が端部のみで造営面に固定されているので、造営面への加工を最小限にすることができる。
【発明を実施するための最良の形態】
【００２８】
以下に本発明の実施の形態を図面に基づいて説明する。
【００２９】
（基本構成１）
図１６に基本構成１の配線システムのシステム構成を示す。この配線システムでは、建物内の適所において１乃至複数のスイッチボックス９０を埋込配設してあり、始端のスイッチボックス９０に対しては、屋外より配線盤６内に引き込まれ主幹ブレーカＭＢおよび分岐ブレーカＢＢを介して屋内に引き込まれた電力線Ｌ１と、外部のインターネット網ＮＴにゲートウェイＧＷ（ルータ、ハブ内蔵）を介して接続される情報線Ｌ２とを導入する。また各スイッチボックス９０の間は壁面内に先行配線された電力線Ｌ１と情報線Ｌ２とを送り配線してある。
【００３０】
ここで、スイッチボックス９０は、例えばＪＩＳで規格化された大角形の１個モジュール寸法の埋込型の配線器具を３個取り付けることができる１連の取付枠７０（図６参照）に対応して規格化されたもので、図１６に示すように配線盤６又は他のスイッチボックス９０から送り配線されてくる電力線Ｌ１及び情報線Ｌ２をボックス内部に導入するとともに、他のスイッチボックス９０へ送り配線するための電力線Ｌ１及び情報線Ｌ２をボックスの外部へ導出している。なお、スイッチボックス９０には、図１５及び図１６に示すように室内の天井１００に設けられるものと、壁１０１に設けられるものと、床１０２に設けられるものとがある。
【００３１】
そして、各スイッチボックス９０の内部には、図５及び図６に示すゲート装置１が取付枠７０を用いて埋込配設されている。取付枠７０は矩形枠状であって、器具取付用の細長の取付窓７１を有しており、左右の枠片７２には取付窓７１の長手方向において器具取付孔７３を３組ずつ備えている。また取付枠７０の上下の枠片７４には、スイッチボックス９０に取り付けるための取付ねじ用の長孔７５や、壁を構成する石膏ボードなどに取り付けるための従来周知のはさみ金具（図示せず）が取着される取着孔７６や、前面側に後述のプレート枠８０を取り付けるためのプレートねじ用のねじ孔７７や、石膏ボードなどにタッピングねじにより直接ねじ固定するためのねじ挿通孔７８が少なくとも設けてある。この取付枠７０をスイッチボックス９０に取り付ける際には、取付枠７０の上下の枠片７４に設けた長孔７５に挿通する取付ねじ（図示せず）をスイッチボックス９０のねじ孔（図示せず）に締結することで、ゲート装置１ごとスイッチボックス９０に取り付けられる。
【００３２】
ゲート装置１は、規格化された単位寸法（１個モジュール寸法）の埋込型配線器具を短幅方向に３個並べた大きさ（３個モジュール寸法）のゲート装置本体１０を備え、このゲート装置本体の左右両側には取付枠７０の枠片７２に設けた器具取付孔７３に係止する係止爪１０ａが各２対ずつ形成されている。そして、このゲート装置本体１０は、取付枠７０の取付窓７１から前面を露出させた状態で取付枠７０に取り付けてある。
【００３３】
またゲート装置１では、ゲート装置本体１０の背面に設けた速結端子構造の端子部２１ａ，２１ｂに電力線Ｌ１を接続するとともに、端子部３１ａ，３１ｂに情報線Ｌ２を接続するようになっており、端子部２１ｂ，３１ｂにそれぞれ接続される電力線Ｌ１、情報線Ｌ２は他のスイッチボックス９０への送り配線となる（図３及び図１０参照）。
【００３４】
一方、ゲート装置本体１０の前面には、端子部２１ａ，２１ｂに接続された電力線Ｌ１と電気的に接続されている導電部を備えた電力路接続口２２と、端子部３１ａ，３１ｂに接続された情報線Ｌ２と電気的に接続されている導電部を備えた情報路接続口３２とが設けられている。
【００３５】
ここに、ゲート装置１の電力路接続口２２および情報路接続口３２は、それぞれ、導電部の配列や開口部の形状をシステムとして定形化（規格化）してある。後述する基本機能モジュール４の背面側には、電力路接続口２２および情報路接続口３２にそれぞれ対応した形態に規格化されたコネクタ４２ａ，４２ｂが形成されており、コネクタ４２ａ，４２ｂをそれぞれ接続口２２，３２に着脱自在に結合できるようになっている。尚、電力路接続口２２と情報路接続口３２とは、導電部の配列や開口部の形状を互いに異ならせているので、誤接続を防止することができる。
【００３６】
次に、ゲート装置１に接続される基本機能モジュール４について説明する。基本機能モジュール４は扁平な直方体状のモジュール本体４０を備えており、モジュール本体４０の背面に設けたコネクタ４２ａ，４２ｂを、ゲート装置１の各接続口２２，３２に接続することによって、ゲート装置本体１０の前面側にモジュール本体４０が重ねた状態で取着される。このように本配線システムではゲート装置本体１０を３個モジュール寸法に形成するとともに、モジュール本体４０の大きさを３個モジュール寸法に対応する寸法に形成しているので、埋込型配線器具用の取付枠７０を用いて埋込配設されたゲート装置１に対して、ゲート装置本体１０の前面を覆うようにして機能モジュール４を取り付けることにより、後付け感を与えることなく、機能モジュール４をゲート装置１に容易に接続することができ、またゲート装置１に接続する機能モジュール４を変更することで、機能モジュール４の変更にも容易に対応できる。
【００３７】
以下に基本機能モジュール４の回路構成について図１０に基づいて説明する。この基本機能モジュール４は、後述する拡張機能モジュール５を連接して使用するために以下の構成を備えている。すなわち基本機能モジュール４は、コネクタ４２ａを介して接続される商用電源ＡＣを所定電圧に降圧するとともに、周波数を高周波に変換し、この高周波に変換した定圧交流電源をコア４４ａに巻装したコイル４４ｂに印加するＡＣ／ＡＣコンバータ４３ａと、低圧交流電源を整流平滑後、安定した直流電圧からなる内部回路の動作電源（＋Ｖ）を得る直流電源部４３ｂと、コネクタ４２ｂを介して接続される情報線Ｌ２を通じて情報信号の送受信を行う送受信部４５と、情報線Ｌ２を介して受信される情報信号をＥ／Ｏ変換し、発光素子ＬＥＤを通じて光信号で送出するＥ／Ｏ変換部４６ａと、後述する拡張機能モジュール５から送られてくる光信号からなる情報信号を受光素子ＰＤで受光し、Ｏ／Ｅ変換して送受信部４５に出力するＯ／Ｅ変換部４６ｂと、機能モジュールの種類（例えばスイッチ）に対応した機能部４９と、機能部４９から送られてくるスイッチの操作データをＩ／Ｏインターフェース４８を通じて取り込み、送信先へ情報信号として送信させる処理を行う機能や、送受信部４５で受信した負荷の動作情報などを取り込み、機能部４９が備える動作表示ランプＬＤの点灯／消灯信号を生成し、Ｉ／Ｏインターフェース４８を通じて機能部４９へ送信する機能を備えた演算処理部４７とで構成されている。
【００３８】
ここで、上述したコイル４４ｂとコア４４ａとは、基本機能モジュール４から拡張機能モジュール５に電力を非接触で供給するためのトランスの一次側となる電磁結合部を構成するもので、拡張機能モジュール５側に同様に設けた電磁結合部のコアにコア４４ａが磁気結合し、トランス作用によって拡張機能モジュール５に設けた電磁結合部のコイルに定圧交流電源を誘起させて電源供給を行うようになっている。ＡＣ／ＡＣコンバータ４３ａでは、電力線Ｌ１を通じて供給される商用電源を、商用電源周波数に比べて高周波の交流電源に変換することで、電磁結合部によるトランス構成の小型化を図っている。なお図１０ではコア４４ａとコイル４４ｂとからなる電磁結合部が１組しか示されていないが、拡張機能モジュール５は基本機能モジュール４の左右何れかの側、或いは、基本機能モジュール４の左右両側に並べて配置されるので、実際には電気的に並列な２組の電磁結合部が設けられ、モジュール本体４０の左右両側において側壁に近接する内部位置に電磁結合部が１組ずつ配置してある。ここに、各電磁結合部のコア４４ａの先端が近接配置されるモジュール本体４０の側面位置が、拡張機能モジュール５に対する磁気結合部Ｘとなっている。
【００３９】
一方、Ｅ／Ｏ変換部４６ａの発光素子ＬＥＤは、拡張機能モジュール５に対して情報信号を光信号により非接触で伝送するためのもので、連接する拡張機能モジュール５側のＯ／Ｅ変換部（図示せず）に設けた受光素子に対置される。また、Ｏ／Ｅ変換部４６ｂの受光素子ＰＤは連設する拡張機能モジュール５から光信号により伝達されてくる情報信号を受光するためのもので、連接する拡張機能モジュール５側のＥ／Ｏ変換部（図示せず）に設けた発光素子に対置される。なお、Ｅ／Ｏ変換部４６ａの発光素子ＬＥＤ、および、Ｏ／Ｅ変換部４６ｂの受光素子ＰＤも図１０では１個ずつしか示されていないが、各変換部４６ａ，４６ｂには発光素子ＬＥＤおよび受光素子ＰＤを２組ずつ接続してあり、モジュール本体４０の左右両側において側壁に近接する内部位置に発光素子ＬＥＤおよび受光素子ＰＤの組を１組ずつ配置している。ここで、発光素子ＬＥＤの発光部及び受光素子ＰＤの受光部が対向するモジュール本体４０の側壁部位は光信号が透過可能なように透明部Ｙとしてある。また、モジュール本体４０の両側では、受光素子ＰＤと発光素子ＬＥＤの位置が上、下で逆になるように配置され、例えば右側では受光素子ＰＤを上、発光素子ＬＥＤを下とし、左側では受光素子ＰＤを下、発光素子ＬＥＤを上としてある。そして、電磁結合部のコア４４ａの先端部の配置位置と、受光素子ＰＤ及び発光素子ＬＥＤの配置位置の上下間隔は定形としている。
【００４０】
なお本配線システムでは、基本機能モジュール４が機能部４９としてスイッチ機能を備える場合について説明を行ったが、機能部４９をスイッチ機能に限定する趣旨のものではなく、センサ機能やスピーカ機能などの機能を備えているものでも良い。ここにおいて、ゲート装置１には複数種の情報信号を伝送する情報線Ｌ２を接続してあるので、ゲート装置１の情報路接続口３２と基本機能モジュール４のコネクタ４２ｂとの間で複数種の情報信号を授受することができ、基本機能モジュール４として様々な種類の機能モジュール４を接続して使用できるから、所望の機能を有する機能モジュール４への交換にも容易に対応できる。例えば図１５および図１６に示すように、天井１００に設けたゲート装置１に接続する機能モジュール４としては、照明器具の引掛プラグに対応した引掛栓刃接続部９１を持つ引掛シーリングローゼット型の機能モジュール４ａや、人感センサ等を備えたセンサ型機能モジュール（図示せず）、更に監視カメラを備えたカメラ型機能モジュール（図示せず）、更にＢＧＭ等のスピーカＳＰを持つ機能モジュール４ｂ等がある。また壁１０１に設けたゲート装置１に接続する機能モジュール４としては、照明器具などをオン／オフ操作するスイッチＳＷを備えた機能モジュール４ｃや、空調機器のコントローラ等の操作器型機能モジュール（図示せず）、モニタ装置Ｍを備えた機能モジュール４ｄがある。さらに床１０２に設けたゲート装置１に接続する機能モジュール４としては、電源プラグ用のコンセント部９２を備えた機能モジュール４ｅや、スピーカＳＰを備えた機能モジュール４ｂ等がある。また更に基本機能モジュール４が機能部４９を備えておらず、連接された拡張機能モジュール５に対して電力および情報信号を伝達する機能のみを備えているものでも良い。
【００４１】
而して、スイッチボックス９０に取付枠７０を用いて埋込配設されたゲート装置１の各接続口２２，３２に、適応する基本機能モジュール４のコネクタ４２ａ，４２ｂを結合して、基本機能モジュール４をスイッチボックス９０に取り付けることで、基本機能モジュール４の電力確保と情報路の確保が同時に行え且つ配設が行える。なおゲート装置１の各接続口２２，３２とコネクタ４２ａ，４２ｂの形態を定形化（規格化）しているので、基本機能モジュール４を何れのゲート装置１にも接続することができるから、レイアウトフリーに施工でき、さらに基本機能モジュール４の機能によって多様な配線システムを展開することができる。従って、ユーザは、好みの利用形態に応じて基本機能モジュール４を自由に施工することができ、将来的に建物内部のレイアウトを変更したり、新しい基本機能モジュール４を追加したい場合にも、基本機能モジュール４の着脱のみで容易に対応できるから、基本機能モジュール４の取替性が向上する。
【００４２】
次に、基本機能モジュール４に連接され、基本機能モジュール４を介して電力供給と情報信号の伝達とを行う拡張機能モジュール５について説明する。拡張機能モジュール５としては、様々な機能を有するものが用意されているが、基本的には図１、図８及び図９に示すように、モジュール本体５０，５０’の高さ寸法を埋込型配線器具の３個モジュール寸法に規格化するとともに、横幅寸法を１個モジュール寸法の整数倍に規格化し、またモジュール本体５０，５０’の両側面の形状は基本機能モジュール４の側面と同一形状とし、さらに背面を図３及び図８（ｂ）に示すように平坦な面に形成し、造営面（例えば壁面）に沿って配設できるようにしてある。モジュール本体５０，５０’の上下位置には、後述するプレート枠８０の上下の枠部材８０ａ，８０ｂの前面側に重ねて取り付けられる取付片５１，５１’を一体に形成してあり、各取付片５１，５１’には後述するプレート枠８０にねじ固定するための固定ねじ８５を挿通するねじ挿通孔５２が貫設されている。
【００４３】
モジュール本体５０，５０’の内部には、図１１に示すようにコア４４ａおよびコイル４４ｂからなる電磁結合部を２組備えて、モジュール本体５０，５０’の左右両側部において側壁に近接する内部位置に配置するとともに、夫々のコイル４４ｂを電気的に接続し、片側の電磁結合部が隣接する基本機能モジュール４又は拡張機能モジュール５の電磁結合部と電磁結合して電力を受け取る側（二次側）となると、他方の電磁結合部が電力供給側（一次側）となるようになっている。これらの電磁結合部を構成するコア４４ａの先端が近接配置されるモジュール本体５０，５０’の側面位置が磁気結合部Ｘとなる。また両電磁結合部のコイル４４ｂ，４４ｂ間を接続する線路には直流電源部４３を接続し、内部回路の動作電源＋Ｖを得るようになっている。
【００４４】
更に情報信号を授受するために、モジュール本体５０，５０’内には連接する基本機能モジュール４又は拡張機能モジュール５から送られてくる光信号からなる情報信号を受光素子ＰＤにて受光し電気的な信号に変換するＯ／Ｅ変換部４６ｂと、電気信号からなる情報信号を隣接する基本機能モジュール４又は拡張機能モジュール５へ光信号からなる情報信号として発光素子ＬＥＤにより送り出すためのＥ／Ｏ変換部４６ａと、Ｏ／Ｅ変換部４６ｂからの電気信号からなる情報信号を受け取るとともに、電気信号からなる情報信号をＥ／Ｏ変換部４６ａへ送り出す情報信号送受信部４６とからなる情報信号送受信手段を二組設け、一方の発光素子ＬＥＤと受光素子ＰＤをモジュール本体５０，５０’の左側側壁近傍の内部に、また他方の発光素子ＬＥＤと受光素子ＰＤをモジュール本体５０，５０’の右側側壁近傍の内部に配置してある。ここで、左側に配置される発光素子ＬＥＤの位置は受光素子ＰＤの下側に、また右側に配置される発光素子ＬＥＤの位置は受光素子ＰＤの上側に夫々を配置してある。而して、左側に連接される基本機能モジュール４又は拡張機能モジュール５の右側側壁に近接配置された発光素子ＬＥＤ、受光素子ＰＤに、当該モジュールの左側に配置した受光素子ＰＤ、発光素子ＬＥＤが夫々対向し、また右側に連接される基本機能モジュール４又は拡張機能モジュール５の左側側壁に近接配置された発光素子ＬＥＤ、受光素子ＰＤに、当該モジュールの右側に配置した受光素子ＰＤ、発光素子ＬＥＤが夫々対向するようになっている。そして発光素子ＬＥＤ、受光素子ＰＤが対向しているモジュール本体５０，５０’の側壁は光信号が透過できるように基本機能モジュール４と同様に透明部Ｙとなっている。
【００４５】
そして両側の情報信号送受信部４６，４６間をモジュール本体５０，５０’内において、双方向の信号ライン５７で接続して、両側に隣接する基本機能モジュール４又は拡張機能モジュール５に対して情報信号を中継できるようになっている。なお、拡張機能モジュール５のモジュール本体５０，５０’の側面に磁気結合部Ｘ及び透明部Ｙが形成される位置は、図６及び図７で示す基本機能モジュール４の側面の磁気結合部Ｘ及び透明部Ｙの位置と合うように規格化され、拡張機能モジュール５同士を並置したとき、或いは、基本機能モジュール４と拡張機能モジュール５とを並置したときに面接する側面側の磁気結合部Ｘ、Ｘ同士、及び、透明部Ｙ，Ｙ同士が夫々対向するようになっている。つまり、夫々の給電手段の接続口同士、情報信号の伝達手段の接続口同士が接続された状態となる。
【００４６】
またモジュール本体５０，５０’内には、信号ライン５７上の情報信号を受信するとともに、信号ライン５７上に情報信号を送出する送受信部４５と、この送受信部４５で受信される情報信号からデータを取り込んで処理を行うとともに、当該拡張機能モジュール５から他の拡張機能モジュール５宛にデータを送る場合のデータ生成処理を行う演算処理部４７と、Ｉ／Ｏインターフェース４８を介して演算処理部４７との間でデータの授受を行って動作する機能部４９とを設けてあり、この機能部４９の構成が拡張機能モジュール５の種類によって異なるのである。
【００４７】
ここで、各拡張機能モジュール５の種類別の構成について説明する。まず、照明器具の操作スイッチを構成する拡張機能モジュール５ａの機能部４９は、図１２に示すように押釦スイッチからなる操作スイッチＳＷａ，ＳＷｂと、これら操作スイッチＳＷａ，ＳＷｂの操作データを生成して演算処理部４７にＩ／Ｏインターフェース４８を介して送るデータ生成機能を有するＣＰＵ部４９ａとで構成され、モジュール本体５０の前面部には図１および図８に示すように各操作スイッチＳＷａ、ＳＷｂの操作釦Ｂ１，Ｂ２を配置している。また拡張機能モジュール５ｂは、床暖房装置の操作スイッチを構成する機能モジュールであり、スイッチの数が１個となる点以外は拡張機能モジュール５ａと同様の構成を有しているので、その説明は省略する。
【００４８】
一方、モニタ装置を構成する拡張機能モジュール５ｃの機能部４９は、図１３に示すように表示の切り替えなどの操作を行う操作スイッチＳＷｃと、Ｉ／Ｏインターフェース４８を介して送られてくる画像データを伸長復号して液晶表示部ＬＣＤに表示させるとともに、操作スイッチＳＷｃの操作に応じて画面の切替などの処理を行うＣＰＵ部４９ｂとで構成され、モジュール本体５０’の前面部には液晶表示部ＬＣＤの表示面と操作スイッチＳＷｃの操作釦Ｂ２とを配置している。なお、拡張機能モジュール５の機能部４９を上記の機能を有するものに限定する趣旨のものではなく、電源コンセントや情報コンセントなどの機能を有するものや、インターホン通話の機能を有するものでも良い。
【００４９】
本システムに用いる基本機能モジュール４および拡張機能モジュール５は以上のような構成を有しており、基本機能モジュール４と並置した状態で拡張機能モジュール５を造営面に固定するためのプレート枠（枠部材）８０について以下に説明する。プレート枠８０は、図１及び図２（ａ）（ｂ）に示すように横長の矩形枠状であって、枠内に複数の機能モジュール４，５が横方向に並べて取り付けられるようになっており、機能モジュール４，５の連設方向に沿う上下の枠部材８０ａ，８０ｂが、連設方向において並べた複数の枠片８３を連結して構成されている。
【００５０】
すなわちプレート枠８０は、平面視の形状が略Ｃ状に形成された左枠部材８１と、平面視の形状が略コ字状に形成された右枠部材８２と、両枠部材８１，８２の間に連結されて横枠部材８０ａ，８０ｂを構成する複数個の枠片８３とを連結して構成されている。
【００５１】
左枠部材８１は、中央片８１ａと、中央片８１ａの上下両端部からそれぞれ右方向に突出する側片８１ｂ，８１ｂとで構成され、両側片８１ｂの先端部の背面側からは側片８１ｂよりも肉薄の連結片８１ｃが突出し、連結片８１ｃの前面側の基部には係合溝８１ｄが形成されている（図２（ｂ）参照）。また両側片８１ｂの長さは機能モジュール４，５の単位寸法の約（４／３）倍の寸法に形成されており、取付枠７０のねじ孔７７に対応する部位にはねじ挿通孔８１ｅが形成されている。
【００５２】
右枠部材８２は、中央片８２ａと、中央片８２ａの上下両端部からそれぞれ左方向に突出する側片８２ｂ，８２ｂとで構成され、両側片８２ｂの先端の前面側からは側片８２ｂよりも肉薄の連結片８２ｃが突出し、連結片８２ｃの背面側の先端部には係合溝８１ｄと係合する係合突起８２ｄが形成されている。また両側片８２ｂの長さは機能モジュール４，５の単位寸法の約（２／３）倍の寸法に形成されており、拡張機能モジュール５の取付片５１に設けたねじ挿通孔５２に対応する部位にはねじ孔８２ｅを設けてある。また、各側片８２ｂと中央片８２ａとの連結部位付近には、右枠部材８２を造営面に固定するために用いる固定ピン（図示せず）を挿通させる挿通孔８２ｆを貫設してある。
【００５３】
一方、枠片８３は略短冊状であって、左端部の前面側からは、連結片８２ｃと略同じ厚みの連結片８３ａが突出形成されて、連結片８３ａの先端部には係合突起８２ｄと略同じ寸法の係合突起８３ｂが突設されている。また、枠片８３の右端部の背面側からは、連結片８１ｃと略同じ厚みの連結片８３ｃが突出形成されて、連結片８３ｃの基部には係合溝８１ｄと略同じ寸法の係合溝８３ｄを形成してある。枠片８３の長さ寸法は機能モジュール４，５の単位寸法と略同じ寸法に形成されており、拡張機能モジュール５の取付片５１に設けたねじ挿通孔５２に対応する部位にはねじ孔８３ｅが設けられ、さらに枠片８３を造営面に固定するために用いる固定ピン（図示せず）を挿通させる挿通孔８３ｆを貫設してある。
【００５４】
而して、このプレート枠８０を用いて各機能モジュール４，５を造営面に施工するに当たっては、先ず建物の適所（天井１００、壁１０１又は床１０２）に埋設してあるスイッチボックス９０から先行配線された電力線Ｌ１、情報線Ｌ２を引き出してゲート装置１に接続した後、このゲート装置１を取付枠７０を介してスイッチボックス９０に取り付ける。次に取付枠７０の前面側に左枠部材８１を配置し、左枠部材８１のねじ挿通孔８１ｅに挿通した固定ねじ８６を取付枠７０のねじ孔７７に締結することにより、取付枠７０に対して左枠部材８１を固定した後、両側片８１ｂの連結片８１ｃに枠片８３の連結片８３ａを重ねて配置し、係合突起８３ｂを係合溝８１ｄに係合させることで、枠片８３を左枠部材８１に位置決めした状態で、各枠片８３の挿通孔８３ｆに挿通した固定ピン（図示せず）を造営面に差し込むことにより、枠片８３を造営面に固定する。そして、各枠片８３の非連結側（右側）の連結片８３ｃに別の枠片８３の連結片８３ａを重ねて配置し、連結片８３ｃの係合溝８３ｄに連結片８３ａの係合突起８３ｂを係合させることで、連設方向に並べた枠片８３，８３同士を位置決めした状態で、各枠片８３の挿通孔８３ｆに挿通した固定ピン（図示せず）を造営面に差し込むことにより、枠片８３を造営面に固定する。そして、所望の数の枠片８３を連結した後、端末（右端）の枠片８３，８３の連結片８３ｃ，８３ｃに右枠部材８２の連結片８２ｃ，８２ｃを重ねて配置し、連結片８３ｃの係合溝８３ｄに連結片８２ｃの係合突起８２ｄを係合させることで、右枠部材８２を位置決めした状態で、右枠部材８２の挿通孔８２ｆに通した固定ピンを造営面に差し込むことにより右枠部材８２を造営面に固定すると、プレート枠８０の組立が完了する。
【００５５】
以上のようにしてスイッチボックス９０に固定された取付枠７０に対してプレート枠８０を固定すると、取付枠７０に取着されたゲート装置１の各接続口２２，３２に対して、基本機能モジュール４の対応するコネクタ４２ａ，４２ｂを接続することにより、ゲート装置１の前面部を覆うようにして基本機能モジュール４を取り付ける。また拡張機能モジュール５ａ〜５ｃを、プレート枠８０の前面側から所定の取付位置に配置するとともに、各拡張機能モジュール５ａ〜５ｃの取付片５１，５１’に設けたねじ挿通孔５２に固定ねじ８５を挿通し、プレート枠８０（枠片８３および右枠部材８２）のねじ孔８３ｅ，８２ｅに締結することによって、拡張機能モジュール５ａ〜５ｃがプレート枠８０に取着される。ここで、プレート枠８０の上下の枠部材８０ａ，８０ｂの前面は、取付枠７０の枠片７４の前面側に位置する部位に比べて、拡張機能モジュール５の取付片５１，５１’が載置する部位が背面側に後退しており、拡張機能モジュール５をプレート枠８０に取着した状態では、基本機能モジュール４と拡張機能モジュール５の前面部が略同じ高さに配置されている。
【００５６】
そして、プレート枠８０に各機能モジュール４，５ａ〜５ｃを取り付けた状態で、化粧プレート９３をプレート枠８０の前面側に取着すると、各機能モジュール４，５ａ…を固定するための固定ねじ８５，８６が化粧プレート９３で覆われるとともに、化粧プレート９３の窓孔９３ａから各機能モジュール４，５ａ〜５ｃの機能面が露出するようになっている。なお化粧プレート９３の背面には係止爪片（図示せず）が突設されており、化粧プレート９３の係止爪片をプレート枠８０の角部付近に設けた係止孔８７に係止させることで、化粧プレート９３がプレート枠８０に取着される。
【００５７】
而して、各機能モジュール４，５の配設施工が終了し、配線システムの施工が完了した後は、ゲート装置１を介して各機能モジュール４，５に電力路および情報路を接続することができ、対応する機能モジュール４，５間で情報信号の授受が行われ、照明器具や床暖房装置などの操作や、カメラで撮影した画像のモニタが行えるのである。ここで、ゲート装置１に接続される情報線Ｌ２は複数種の機能モジュール４，５に用いられる情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、ゲート装置１を介して機能モジュール４，５に複数種類の情報信号を伝達することができるから、機能モジュール４，５に多種多様な機能を持つ機能モジュールを使用でき、多種多様な機能をもつシステムを実現することができる。
【００５８】
以上説明したように本配線システムでは、取付枠７０にねじ固定された左枠部材８１と、この左枠部材８１に連結される枠片８３および右枠部材８２とで構成されるプレート枠８０に対して、各拡張機能モジュール５ａ…を取着しているので、拡張機能モジュール５ａ…の固定状態が安定し、複数の拡張機能モジュール５ａ…を連設した場合でも、拡張機能モジュール５ａ…の固定状態が不安定になることはない。しかも、連設方向に沿うプレート枠８０の枠部材８０ａ，８０ｂが、連結方向に沿って並べた複数の枠片８３を連結して構成されるので、拡張機能モジュール５の数に応じた個数の枠片８３を連結することで、枠部材８０ａ，８０ｂの長さを所望の長さに変更することができ、拡張機能モジュール５の数に関係無く拡張機能モジュール５の固定を安定させることができる。尚、本配線システムではプレート枠８０を取付枠７０に対してねじ固定しているが、基本機能モジュール４が埋込配設されるスイッチボックスに対してプレート枠８０を固定するようにしても良く、上述と同様に拡張機能モジュール５ａ…を安定に固定することができる。また枠片８３同士を連結する構造は上記の形態に限定する趣旨のものではなく、適宜の連結構造を適用可能である。またスイッチボックス９０を無くして取付枠７０を造営材（例えば壁材）に直接取り付けるようにしても良い。
【００５９】
また図１、図３及び図４に示す設置例では基本機能モジュール４の片側のみに拡張機能モジュール５を連設しているが、基本機能モジュール４の両側に拡張機能モジュール５を連設しても良い。但し、基本機能モジュール４に連設できる拡張機能モジュール５の数はＡＣ／ＡＣコンバータ４３ａの電力供給能力などによって制限される。また、連設する拡張機能モジュール５の数が増えると、拡張機能モジュール５の重さでプレート枠８０が変形し、プレート枠８０の端部（例えば取付枠７０に固定される側と反対側の端部、図１の右端部）が浮き上がる可能性があるが、本配線システムでは個々の枠片８３および右枠部材８２を固定ピン（固定手段）を用いて造営面に固定しているので、造営面からの浮き上がりを防止することができる。なお本配線システムでは中間部の枠片８３も造営面に固定しているが、左枠部材８１および右枠部材８２と枠片８３との間や、枠片８３，８３の間がそれぞれ強固に結合されていれば、プレート枠８０の端部（取付枠７０に固定される側と反対側の端部、すなわち右端部）のみを固定ピンなどの固定手段を用いて造営面に固定するようにしても良く、造営面への加工を最小限にしつつ、プレート枠８０が造営面から浮き上がるのを確実に防止できる。なお、プレート枠８０の端部を造営面に固定する固定手段は固定ピンに限定されるものではなく、挿通孔８２ｆに通したタッピングねじなどのねじ部材でねじ止めしたり、プレート枠８０（右枠部材８２）の背面と造営面とにそれぞれ面ファスナーを取り付け、プレート枠８０を造営面に対して面ファスナーで固定するようにしても良い。
【００６０】
なお、上述の配線システムではゲート装置１と基本機能モジュール４との間において電力路、情報路の接続はコネクタ４２ａ，４２ｂ側の接触ピンが各接続口２２，３２の接触部に接触することで行われるようになっているが、非接触構成としても良い。
【００６１】
つまり上述した基本機能モジュール４が拡張機能モジュール５に非接触で電力を供給するために用いたＡＣ／ＡＣコンバータ４３ａと、コア４４ａ及びコイル４４ｂからなる電磁結合部と、情報信号の授受を非接触で行うためのＥ／Ｏ変換部４６ａおよびＯ／Ｅ変換部４６ｂとをゲート装置１に内蔵し、基本機能モジュール４側にこれに対応して磁気結合部、Ｏ／Ｅ変換部およびＥ／Ｏ変換部を設け、電力路接続口２２を上述の磁気結合部Ｘにより構成し、情報路接続口３２を上述の透明部Ｙにより構成する。また基本機能モジュール４側にも、ゲート装置１の磁気結合部Ｘおよび透明部Ｙにそれぞれ対応して、磁気結合部Ｘと透明部Ｙとを設ける。そしてゲート装置１では、両接続口２２，３２を構成する磁気結合部Ｘ、透明部Ｙの形状と両者の間隔を定形化（規格化）して接続口２２，３２のモジュール化を図り、他方基本機能モジュール４の磁気結合部Ｘ、透明部Ｙの形状と両者の間隔を接続口２２，３２のそれと合わせて定形化を図れば良い。
【００６２】
また上述の配線システムでは情報路と、電力路を別にしているためゲート装置１には電力線Ｌ１と情報線Ｌ２とを夫々接続しているが、電力線搬送によって情報信号の伝送を行えば、電力路を情報路として用いることもできるため、配線を電力線Ｌ１のみとすることができ、配線施工を簡略化できる。つまり各スイッチボックス９０での先行配線は電力線Ｌ１のみとし、これに対応してゲート装置１の端子部３１ａ，３１ｂおよび情報路接続口３２を無くし、端子部２１ａ，２１ｂおよび電力路接続口２２のみとする。そして、基本機能モジュール４において、図１４に示すようにコネクタ４２ａおよびゲート装置１を介して電力線Ｌ１に接続され、電力線搬送通信により情報信号を授受するＰＬＣモデム部４５ａを設けており、送受信部４５では、ＰＬＣモデム部４５ａを介して受信された情報信号をＥ／Ｏ変換部４６ａにより光信号で送信させるとともに、Ｏ／Ｅ変換部４６ｂが受光した光信号よりなる情報信号を、ＰＬＣモデム部４５ａから電力線搬送によって送信させている。また送受信部４５は、ＰＬＣモデム部４５ａを介して受信された情報信号を演算処理部４７に出力して、演算処理部４７によりデータ処理を行わせるとともに、演算処理部４７から入力された情報信号をＰＬＣモデム部４５ａからゲート装置１を介して電力線Ｌ１へ電力線搬送によって送信させている。
【００６３】
尚、ＰＬＣモデム部４５ａで採用する電力線搬送の変調方式としては広帯域スペクトラム拡散方式、マルチキャリア方式、ＯＦＤＭ方式等各種方式の何れでも良いので、ここでは特に説明はしない。また図１４に示す例では、基本機能モジュール４のＰＬＣモデム部４５ａにより電力線搬送通信で伝送された情報信号を分離し、各機能モジュール４，５間ではＥ／Ｏ変換部４６ａおよびＯ／Ｅ変換部４６ｂを用いて情報信号の授受を行っているが、各々の機能モジュール５にＰＬＣモデム部を設けて、各機能モジュール５において電力線搬送通信により情報信号の授受を行うようにしても良い。
【００６４】
また本配線システムでは拡張機能モジュール５が、基本機能モジュール４を介して電力の供給を受けると共に情報信号の授受を行っており、拡張機能モジュール５において電力路および情報路を共に確保しているが、拡張機能モジュール５の機能によっては、電力の供給と情報信号の授受の内何れか一方だけを行って、電力路又は情報路の何れかを確保するようにしても良く、様々な機能モジュール５を連設して使用することにより、機能の拡張にも容易に対応することができる。
【００６５】
また、情報信号を伝送する方式としては、ベースバンド伝送又はブロードバンド伝送の何れを採用しても良く、またプロトコルも何れでも良いが、音声、映像などを用いるインターホンの親機、子機との間にはＪＴ−Ｈ２３２パケットに基づいて音声・映像を相互に伝送することとし、また制御系にあっては操作側からの操作データにより１乃至複数の負荷を操作できるような１対１又は１対Ｎの対応が可能なユニキャスト或いはブロードキャストに対応する経路制御プロトコルを採用すれば良く、特に限定されるものではないので、説明は省略する。また、ゲート装置１間の使用プロトコルと、ゲート装置１に連なる機能モジュール４，５での使用プロトコルを異ならせ、例えばゲート装置１においてプロトコル変換を行うようにしても良い。
【００６６】
（実施形態１）
本発明の実施形態１について図１７〜図２０に基づいて説明する。上述した基本構成１の配線システムでは、基本機能モジュール４と拡張機能モジュール５とが対接する側部、および、拡張機能モジュール５，５同士が対接する側部に電力を供給するための給電手段と、情報信号を光信号で送受信するための情報信号接続手段とを設けているのに対して、本実施形態では、拡張機能モジュール５を固定するプレート枠８０に、電力供給を行うための電源ラインと情報信号の伝達を行うための情報ラインとを設け、電源ラインおよび情報ラインと各機能モジュール４，５の間を電気的に接続することによって、基本機能モジュール４を介して拡張機能モジュール５に電力の供給と情報信号の伝達とを行っている。尚、給電手段および情報信号接続手段以外の構成は、基本構成１で説明した配線システムと同様であるので、共通する構成要素には同一の符号を付して、その説明は省略する。
【００６７】
図１６は本実施形態に用いるプレート枠８０の正面図であり、基本構成１で説明した配線システムと同様に左右の枠部材８１，８２と、上下の枠部材８０ａ，８０ｂを構成する複数の枠片８３（枠片８３Ａ，８３Ｂからなる）とを連結してプレート枠８０を構成している。なお左枠部材８１、右枠部材８２、および枠片８３Ａ，８３Ｂの形状および連結方法は、基本構成１で説明した配線システムと同様であるので、共通する構成要素には同一の符号を付して、その説明は省略する。
【００６８】
ここで、左枠部材８１では、上側の側片８１ｂに電源ラインを構成する一対の導電板２３Ａ，２４Ａがインサート成形により埋込配設され、下側の側片８１ｂに情報ラインを構成する一対の導電板２５Ａ，２６Ａがインサート成形により埋込配設されている。また右枠部材８２では、上側の側片８２ｂに電源ラインを構成する一対の導電板２３Ｂ，２４Ｂがインサート成形により埋込配設され、下側の側片８２ｂに情報ラインを構成する一対の導電板２５Ｂ，２６Ｂがインサート成形により埋込配設されている。また各枠片８３Ａ，８３Ｂの内、上枠部材８０ａを構成する枠片８３Ａには電源ラインを構成する一対の導電板２３Ｃ，２４Ｃがインサート成形により埋込配設され、下枠部材８０ｂを構成する枠片８３Ｂには情報ラインを構成する一対の導電板２５Ｃ，２６Ｃがインサート成形により埋込配設されている。
【００６９】
また左枠部材８１には、上側の側片８１ｂの下側縁よりモジュール本体４０の背面に対向配置される支持リブ８１ｆが突設されるとともに、下側の側片８１ｂの上側縁よりモジュール本体４０の背面に対向配置される支持リブ８１ｇが突設されている。支持リブ８１ｆの前面側には導電板２３Ａ，２４Ａの一端側が延出し、その先端部が支持リブ８１ｆの前面に露出しており、この露出部位が接続端子２３ａ，２４ａとなっている。また、支持リブ８１ｇの前面側には導電板２５Ａ，２６Ａの一端側が延出し、その先端部が支持リブ８１ｇの前面に露出しており、この露出部位が接続端子２５ａ，２６ａとなっている。
【００７０】
また、右枠部材８２では、上側の側片８２ｂの前面に、導電板２３Ｂ，２４Ｂにそれぞれ電気的に接続された端子２３ｂ，２４ｂが所定位置に形成されるとともに、下側の側片８２ｂの前面に、導電板２５Ｂ，２６Ｂにそれぞれ電気的に接続された端子２５ｂ，２６ｂが所定位置に形成されている。
【００７１】
さらに、複数の枠片８３Ａ，８３Ｂの内、上枠部材８０ａを構成する枠片８３Ａの前面には、導電板２３Ｃ，２４Ｃにそれぞれ電気的に接続された給電用の端子２３ｃ，２４ｃが所定位置に形成されている。また、下枠部材８０ｂを構成する枠片８３Ｂの前面には、導電板２５Ｃ，２６Ｃにそれぞれ電気的に接続された情報信号伝達用の端子２５ｃ，２６ｃが所定位置に形成されている。
【００７２】
ここで、左枠部材８１および枠片８３Ａ，８３Ｂの連結片８１ｃ，８３ｃと、右枠部材８２および枠片８３Ａ，８３Ｂの連結片８２ｃ，８３ａとが互いに対接する部位には、それぞれにインサート成形された導電板の一部を露出させており、左右の枠部材８１，８２と枠片８３Ａ，８３Ｂとを連結してプレート枠８０を組み立てると、電源ラインを構成する導電板２３Ａ，２３Ｂ，２３Ｃ、および、導電板２４Ａ，２４Ｂ，２４Ｃがそれぞれ電気的に接続されるとともに、情報ラインを構成する導電板２５Ａ，２５Ｂ，２５Ｃ、および、導電板２６Ａ，２６Ｂ，２６Ｃがそれぞれ電気的に接続されるようになっている。
【００７３】
一方、基本機能モジュール４では、図１８（ａ）に示すように基本構成１で説明した基本機能モジュール４からＡＣ／ＡＣ変換部４３ａと、コア４４ａおよびコイル４４ｂからなる磁気結合部Ｘと、情報信号を非接触で授受するためのＥ／Ｏ変換部４６ａ、Ｏ／Ｅ変換部４６ｂ、発光素子ＬＥＤおよび受光素子ＰＤを無くしてある。そして、図１９に示すようにモジュール本体４０の上部背面には、プレート枠８０（左枠部材８１の上側片８１ｂ）に設けた接続端子２３ａ，２４ａに対応する部位に、コネクタ４２ａの導体部にそれぞれ電気的に接続された端子３３ａ，３３ｂを設けてある。また、モジュール本体４０の下部背面には、プレート枠８０（左枠部材８１の下側片８１ｂ）に設けた接続端子２５ａ，２６ａに対応する部位に、コネクタ４２ｂの導体部にそれぞれ電気的に接続された端子３４ａ，３４ｂを設けてある。なお直流電源部４３ｂでは、ゲート装置１を介して供給される交流電源を整流、平滑して、安定した直流電圧からなる内部回路の動作電源（＋Ｖ）を生成している。
【００７４】
また、拡張機能モジュール５側では、図１８（ｂ）に示すようにコア４４ａおよびコイル４４ｂからなる磁気結合部Ｘと、情報信号を非接触で授受するためのＥ／Ｏ変換部４６ａ、Ｏ／Ｅ変換部４６ｂ、発光素子ＬＥＤおよび受光素子ＰＤを無くしてある。そして、図２０（ａ）（ｂ）に示すようにモジュール本体５０，５０’の上部に設けた取付片５１，５１’の背面には、それぞれ、右枠部材８２の上側片８２ｂに設けた端子２３ｂ，２４ｂ、又は、枠片８３Ａに設けた端子２３ｃ，２４ｃに対応する部位に端子３５ａ，３５ｂを設けてあり、端子３５ａ，３５ｂを介して交流電源を直流電源部４３に供給し、直流電源部４３では、基本機能モジュール４を介して供給される交流電源を整流、平滑して、安定した直流電圧からなる内部回路の動作電源（＋Ｖ）を生成している。またモジュール本体５０，５０’の下部に設けた取付片５１，５１’の背面には、それぞれ、右枠部材８２の下側片８２ｂに設けた端子２５ｂ，２６ｂ、又は、枠片８３Ｂに設けた端子２５ｃ，２６ｃに対応する部位に端子３６ａ，３６ｂを設けてあり、端子３６ａ，３６ｂを介して送受信部４５を情報路に接続してある。
【００７５】
而して、本実施形態において各機能モジュール４，５を固定するに当たっては、予め建物の適所（天井１００、壁１０１又は床１０２）に埋設してあるスイッチボックス９０から先行配線された電力線Ｌ１、情報線Ｌ２を引き出してゲート装置１に接続した後、このゲート装置１を取付枠７０を介してスイッチボックス９０に取り付ける。そして、基本構成１で説明したのと同様の手順で取付枠７０に左枠部材８１をねじ固定するとともに、左枠部材８１に枠片８３Ａ，８３Ｂおよび右枠部材８２を連結して、プレート枠８０を組み立てる。
【００７６】
その後、ゲート装置１前面の各接続口２２，３２に対して、基本機能モジュール４の対応するコネクタ４２ａ，４２ｂを接続することにより、ゲート装置１の前面部を覆うようにして基本機能モジュール４を取り付けると、基本機能モジュール４の背面に設けた端子３３ａ，３３ｂがプレート枠８０の接続端子２３ａ，２４ａと接触して、電源ラインの導電板２３Ａ，２３Ｂ，２３Ｃと導電板２４Ａ，２４Ｂ，２４Ｃとが基本機能モジュール４およびゲート装置１を介して電力線Ｌ１に電気的に接続される。また同時に、基本機能モジュール４の背面に設けた端子３４ａ，３４ｂがプレート枠８０の接続端子２５ａ，２６ａと接触して、情報ラインの導電板２５Ａ，２５Ｂ，２５Ｃと導電板２６Ａ，２６Ｂ，２６Ｃとが基本機能モジュール４およびゲート装置１を介して情報線Ｌ２に電気的に接続される。
【００７７】
次に、プレート枠８０の対応する取付位置に各拡張機能モジュール５ａ〜５ｃを配置して、取付片５１，５１’のねじ挿通孔５２に挿通した固定ねじ８５をプレート枠８０のねじ孔８３ｅ，８２ｅに締結することで、各拡張機能モジュール５ａ〜５ｃがプレート枠８０に固定される。この時、各拡張機能モジュール５ａ〜５ｃの上側の取付片５１，５１’に設けた端子３５ａ，３５ｂが、右枠部材８２の端子２３ｂ，２４ｂ、又は、枠片８３Ａの端子２３ｃ，２４ｃに接触し、各拡張機能モジュール５ａ〜５ｃに導電板２３Ａ，２３Ｂ，２３Ｃと導電板２４Ａ，２４Ｂ，２４Ｃとを介して電力が供給される。また各拡張機能モジュール５ａ〜５ｃの下側の取付片５１，５１’に設けた端子３６ａ，３６ｂが、右枠部材８２の端子２５ｂ，２６ｂ、又は、枠片８３Ｂの端子２５ｃ，２６ｃに接触し、各拡張機能モジュール５ａ〜５ｃに導電板２５Ａ，２５Ｂ，２５Ｃと、導電板２６Ａ，２６Ｂ，２６Ｃとを介して情報線Ｌ２に接続される。
【００７８】
このように本実施形態では、各拡張機能モジュール５ａ〜５ｃが取着されるプレート枠８０に、電力供給を行うための電源ライン（導電板２３Ａ，２３Ｂ，２３Ｃと導電板２４Ａ，２４Ｂ、２４Ｃ）と、情報信号の伝達を行うための情報ライン（導電板２５Ａ，２５Ｂ，２５Ｃと導電板２６Ａ，２６Ｂ、２６Ｃ）とを設け、取付枠７０にプレート枠８０を固定した後、取付枠７０に取着されたゲート装置１に基本機能モジュール４を取り付けるとともに、プレート枠８０に各拡張機能モジュール５ａ〜５ｃを取り付けることで、各機能モジュール４，５ａ…をプレート枠８０の電源ラインと情報ラインとにそれぞれ接続しているので、プレート枠８０に対して拡張機能モジュール５ａ…を取り付けるだけで、各拡張機能モジュール５ａ…の固定と電気的接続とを行うことができる。
【００７９】
また、本実施形態ではプレート枠８０を構成する左枠部材８１、右枠部材８２および枠片８３Ａ，８３Ｂに、電源ライン又は情報ラインを構成する導電板をインサート成形により埋設固定しているので、プレート枠８０の機械的強度が向上し、複数の拡張機能モジュール５ａ…を並設した場合でもプレート枠８０が変形しにくくなり、造営面からの浮き上がりを防止できる。なお本実施形態では電源ラインおよび情報ラインを構成する導電板を全てプレート枠８０（左枠部材８１、右枠部材８２および枠片８３Ａ，８３Ｂ）にインサート成形により埋設固定しているが、一部の導電板のみをインサート成形により埋設固定し、他の導電板はプレート枠８０（左枠部材８１、右枠部材８２および枠片８３Ａ，８３Ｂからなる）の表面（前面又は後面）に絶縁した状態で取り付けるようにしても良い。
【００８０】
なお本実施形態では電源ラインと情報ラインとを別々に設けているが、電源ラインが情報ラインを兼用して、電力線搬送通信により情報信号を伝達するようにしても良い。この場合は基本機能モジュール４においてコネクタ４２ｂと端子３４ａ，３４ｂとを無くし、コネクタ４２ａを介して接続される電力ラインを通じて電力線搬送通信により情報信号を伝達するＰＬＣモデム部（図示せず）を設けるとともに、拡張機能モジュール５において端子３６ａ，３６ｂを無くし、端子３５ａ，３５ｂを介して接続される電力ラインを通じて電力線搬送通信により情報信号を伝達するＰＬＣモデム部（図示せず）を設ければ良く、さらにプレート枠８０では導電板２５Ａ〜２５Ｃと導電板２６Ａ〜２６Ｃとを無くして、電源ラインを構成する導電板２３Ａ〜２３Ｃと導電板２４Ａ〜２４Ｃをそれぞれ左右の枠部材８１，８２と枠片８３とに埋込配設すれば良い。
【００８１】
（基本構成２）
本発明の基本構成２について図２１〜図２３に基づいて説明する。上述した基本構成１及び実施形態１では造営面に埋設されるスイッチボックス又は取付枠７０に固定されたプレート枠８０に対して拡張機能モジュール５ａ…を固定しているのに対して、本実施形態では取付枠７０に固定されて各機能モジュール４，５ａ…の連設方向に沿って平行配置されるレール部材９４Ａ，９４Ｂに対して拡張機能モジュール５ａ…を固定している。尚、拡張機能モジュール５ａ…を固定するためのレール部材９４Ａ，９４Ｂ以外の構成は、基本構成１の配線システムと同様であるので、共通する構成要素には同一の構成要素を付して、その説明は省略する。
【００８２】
レール部材９４Ａ，９４Ｂは、基本構成１で説明したプレート枠８０の上下の枠部材８０ａ，８０ｂと略同様の形状（横長の帯板状）に形成されており、図２１に示すように取付枠７０に固定されるレール片９５と、中間部の１乃至複数（図示例では例えば３個）のレール片９６と、端末のレール片９７とを連結してそれぞれ構成される。
【００８３】
レール片９５は、横幅が機能モジュール４，５の単位寸法の略（４／３）倍の寸法に形成されて、背面側に配置される取付枠７０のねじ孔７７に対向する位置にねじ挿通孔９５ｃが形成されるとともに、右端部の背面側から他の部位に比べて肉薄の連結片９５ａが突出し、この連結片９５ａの基部には係合溝９５ｂが形成されている。
【００８４】
端末のレール片９７は、横幅が機能モジュール４，５の単位寸法の略（２／３）倍の寸法に形成されて、左端部の前面側からは他の部位よりも肉薄の連結片９７ａが突出し、連結片９７ａの背面側の先端部には係合溝９５ｂと係合する係合突起９７ｂが形成されている。またレール片９７には、拡張機能モジュール５の取付片５１に設けたねじ挿通孔５２に対応する部位にねじ孔９７ｃを設けるとともに、造営面に固定するために用いる固定ピン（図示せず）を挿通させる挿通孔９７ｄを貫設してある。
【００８５】
また中間部のレール片９６は、横幅が機能モジュール４，５の単位寸法と略同じ寸法に形成されており、左端部の前面側からは、連結片９７ａと略同じ厚みの連結片９６ａが突出形成されて、連結片９６ａの先端部には係合突起９７ｂと略同じ寸法の係合突起９６ｂが突設されている。また、レール片９６の右端部の背面側からは、連結片９５ａと略同じ厚みの連結片９６ｃが突出形成されて、連結片９６ｃの基部には係合溝９５ｂと略同じ寸法の係合溝９６ｄを形成してある。またレール片９６には、拡張機能モジュール５の取付片５１に設けたねじ挿通孔５２に対応する部位にねじ孔９６ｅが設けられ、さらに造営面に固定するために用いる固定ピン（図示せず）を挿通させる挿通孔９６ｆを貫設してある。
【００８６】
而して、このレール部材９４Ａ，９４Ｂを用いて各機能モジュール４，５を造営面に施工するに当たっては、先ず建物の適所（天井１００、壁１０１又は床１０２）に埋設してあるスイッチボックス９０から先行配線された電力線Ｌ１、情報線Ｌ２を引き出してゲート装置１に接続した後、このゲート装置１を取付枠７０を介してスイッチボックス９０に取り付ける。次に取付枠７０の前面側にレール片９５を配置し、レール片９５のねじ挿通孔９５ｃに挿通した固定ねじ８６を取付枠７０のねじ孔７７に締結することにより、取付枠７０に対してレール片９５を固定した後、レール片９５の連結片９５ａにレール片９６の連結片９６ａを重ねて配置し、係合突起９６ｂを係合溝９５ｂに係合させることで、レール片９６をレール片９５に位置決めした状態で、各レール片９６の挿通孔９６ｆに挿通した固定ピン（図示せず）を造営面に差し込むことにより、レール片９６を造営面に固定する。そして、各レール片９６の非連結側（右側）の連結片９６ｃに別のレール片９６の連結片９６ａを重ね合わせて、連結片９６ｃの係合溝９６ｄに連結片９６ａの係合突起９６ｂを係合させることで、連設方向に並べたレール片９６，９６同士を位置決めした状態で、各レール片９６の挿通孔９６ｆに挿通した固定ピン（図示せず）を造営面に差し込むことにより、レール片９６を造営面に固定する。そして、所望の数のレール片９６を連結した後、右端のレール片９６の連結片９６ｃに、端末接続用のレール片９７の連結片９７ａを重ねて配置し、連結片９６ｃの係合溝９６ｄに連結片９７ａの係合突起９７ｂを係合させることで、レール片９７を位置決めした状態で、レール片９７の挿通孔９７ｄに通した固定ピンを造営面に差し込むことによりレール片９７を造営面に固定すると、各レール部材９４Ａ，９４Ｂの組立が完了する（図２１参照）。
【００８７】
このように、スイッチボックス９０に固定された取付枠７０に対してレール部材９４Ａ，９４Ｂを固定すると、取付枠７０に取着されたゲート装置１の各接続口２２，３２に対して、基本機能モジュール４の対応するコネクタ４２ａ，４２ｂを接続することにより、ゲート装置１の前面部を覆うようにして基本機能モジュール４を取り付ける。また拡張機能モジュール５ａ〜５ｃを、レール部材９４Ａ，９４Ｂの前面側から所定の取付位置に配置するとともに、各拡張機能モジュール５ａ〜５ｃの取付片５１，５１’に設けたねじ挿通孔５２に固定ねじ８５を挿通し、レール片９６，９７のねじ孔９６ｅ，９７ｃに締結することによって、拡張機能モジュール５ａ〜５ｃがレール部材９４Ａ，９４Ｂに取着される（図２２参照）。ここで、レール部材９４Ａ，９４Ｂの前面は、取付枠７０の枠片７４の前面側に位置する部位に比べて、拡張機能モジュール５の取付片５１，５１’が載置する部位が背面側に後退しており、拡張機能モジュール５をレール部材９４Ａ，９４Ｂに取着した状態では、基本機能モジュール４と拡張機能モジュール５の前面部が略同じ高さに配置されている。なおスイッチボックス９０を無くして取付枠７０を造営材（例えば壁材）に直接取り付けても良いし、またレール部材９４Ａ，９４Ｂを造営材（例えば壁材）に直接取り付けても良い。
【００８８】
そして、レール部材９４Ａ，９４Ｂに各機能モジュール４，５ａ〜５ｃを取り付けた状態で、各レール部材９４Ａ，９４Ｂの前面側に帯板状の化粧板９８を適宜の方法で取り付けると、機能モジュール４，５ａ…を固定するための固定ねじ８５，８６が化粧板９８によって覆われるようになっている。
【００８９】
以上説明したように本配線システムでは、取付枠７０に固定されて各機能モジュール４，５ａ…の連設方向に沿って平行配置されるレール部材９４Ａ，９４Ｂに対して各拡張機能モジュール５ａ…を固定しているので、拡張機能モジュール５ａ…の固定状態が安定し、複数の拡張機能モジュール５ａ…を連設した場合でも、拡張機能モジュール５ａ…の固定状態が不安定になることはない。しかも、レール部材９４Ａ，９４Ｂは、連結方向に並べて配置されるレール片９５，９６，９７を連結してそれぞれ構成されているので、拡張機能モジュール５の数に応じた個数のレール片９５〜９７を連結することで、レール部材９４Ａ，９４Ｂの長さを所望の長さに変更することができ、したがって拡張機能モジュール５の数に関係無く拡張機能モジュール５の固定を安定させることができる。なお、レール片９５〜９７の間を連結する構造は上記の形態に限定する趣旨のものではなく、適宜の連結構造を適用可能である。
【００９０】
また、レール部材９４Ａ，９４Ｂに取り付ける拡張機能モジュール５の数が増えると、拡張機能モジュール５の重さでレール部材９４Ａ，９４Ｂが変形し、レール部材９４Ａ，９４Ｂの端部（例えば取付枠７０に固定される側と反対側の端部、図２１の右端部）が浮き上がる可能性があるが、本配線システムでは個々のレール片９６，９７を固定ピン（固定手段）を用いて造営面に固定しているので、造営面からの浮き上がりを防止することができる。なお本配線システムでは中間部のレール片９６も固定手段を用いて造営面に固定しているが、レール片９５〜９７の間が確実に結合されていれば、端末に配置されるレール片９７のみを造営面に固定するようにしても良く、造営面への加工を最小限にしつつ、レール部材９４Ａ，９４ｂを造営面に対して確実に取り付ける。またレール片９６，９７を造営面に固定する手段は固定ピンに限定されるものではなく、挿通孔９６ｆ，９７ｄに通したタッピングねじなどのねじ部材で造営面にねじ止めしたり、レール片９６，９７の背面と造営面とにそれぞれ面ファスナーを取り付け、造営面に対して面ファスナーで固定するようにしても良い。
【００９１】
（実施形態２）
本発明の実施形態２について図２４に基づいて説明する。上述の基本構成２では、基本機能モジュール４と拡張機能モジュール５とが対接する側部、および、拡張機能モジュール５，５同士が対接する側部に電力を供給するための給電手段と、情報信号を光信号で送受信するための情報信号接続手段とを設けているのに対して、本実施形態では、基本構成２で説明したレール部材９４Ａ，９４Ｂに、電力供給を行うための電源ラインと情報信号の伝達を行うための情報ラインとを設け、電源ラインおよび情報ラインと各機能モジュール４，５の間を電気的に接続することにより、基本機能モジュール４を介して拡張機能モジュール５に電力の供給と情報信号の伝達とを行っている。尚、給電手段および情報信号接続手段以外の構成は、基本構成２で説明した配線システムと同様であるので、共通する構成要素には同一の符号を付して、その説明は省略する。
【００９２】
図２４は本実施形態に用いるレール部材９４Ａ，９４Ｂの正面図であり、基本構成２で説明した配線システムと同様に取付枠７０に固定されるレール片９５Ａ，９５Ｂと、端末のレール片９７Ａ，９７Ｂと、中間部の複数のレール片９６Ａ，９６Ｂとをそれぞれ連結して、上下のレール部材９４Ａ，９４Ｂを構成している。なお、レール片９５Ａ，９５Ｂ，９６Ａ，９６Ｂ，９７Ａ，９７Ｂの形状および連結方法は、基本構成２で説明したレール片９５，９６，９７と同様であるので、共通する構成要素には同一の符号を付して、その説明は省略する。
【００９３】
ここで、上側のレール部材９４Ａを構成するレール片の内、取付枠７０に固定されるレール片９５Ａでは、電源ラインを構成する一対の導電板２３Ａ，２４Ａがインサート成形により埋込配設されている。レール片９５Ａの下側縁からは、モジュール本体４０の背面に対向配置される支持リブ９５ｄが突設されている。この支持リブ９５ｄの前面側には導電板２３Ａ，２４Ａの一端側が延出形成され、その先端部が支持リブ９５ｄの前面に露出しており、その露出部位が接続端子２３ａ，２４ａとなっている。また、中間部のレール片９６Ａには、電源ラインを構成する一対の導電板２３Ｃ，２４Ｃがインサート成形により埋込配設され、レール片９６Ａの前面には、導電板２３Ｃ，２４Ｃにそれぞれ電気的に接続された端子２３ｃ，２４ｃが所定位置に形成されている。さらに、端末に接続されるレール片９７Ａには、電源ラインを構成する一対の導電板２３Ｂ，２４Ｂがインサート成形により埋込配設され、レール片９７Ａの前面には、導電板２３Ｂ，２４Ｂにそれぞれ電気的に接続された端子２３ｂ，２４ｂが所定位置に形成されている。また、レール片９５Ａ，９６Ａの連結片９５ａ，９６ｃと、レール片９６Ａ，９７Ａの連結片９６ａ，９７ａと、レール片９６Ａ，９６Ａの連結片９６ａ，９６ｃとが互いに対接する部位には、それぞれにインサート成形された導電板の一部を露出させており、レール片９５Ａ〜９７Ａを連結してレール部材９４Ａを組み立てると、電源ラインを構成する導電板２３Ａ〜２３Ｃ、および、導電板２４Ａ〜２４Ｃがそれぞれ電気的に接続される。
【００９４】
また、下側のレール部材９４Ｂを構成するレール片の内、取付枠７０に固定されるレール片９５Ｂでは、情報ラインを構成する一対の導電板２５Ａ，２６Ａがインサート成形により埋込配設されている。レール片９５Ｂの上側縁からは、モジュール本体４０の背面に対向配置される支持リブ９５ｅが突設されている。この支持リブ９５ｅの前面側には導電板２５Ａ，２６Ａの一端側が延出形成され、その先端部が支持リブ９５ｅの前面に露出しており、その露出部位が接続端子２５ａ，２６ａとなっている。また、中間部のレール片９６Ｂには、情報ラインを構成する一対の導電板２５Ｃ，２６Ｃがインサート成形により埋込配設され、レール片９６Ｂの前面には、導電板２５Ｃ，２６Ｃにそれぞれ電気的に接続された端子２５ｃ，２６ｃが所定位置に形成されている。さらに、端末に接続されるレール片９７Ｂには、情報ラインを構成する一対の導電板２５Ｂ，２６Ｂがインサート成形により埋込配設され、レール片９７Ｂの前面には、導電板２５Ｂ，２６Ｂにそれぞれ電気的に接続された端子２５ｂ，２６ｂが所定位置に形成されている。ここで、レール片９５Ｂ，９６Ｂの連結片９５ａ，９６ｃと、レール片９６Ｂ，９７Ｂの連結片９６ａ，９７ａと、レール片９６Ｂ，９６Ｂの連結片９６ａ，９６ｃとが互いに対接する部位には、それぞれにインサート成形された導電板の一部を露出させており、レール片９５Ｂ〜９７Ｂを連結してレール部材９４Ｂを組み立てると、情報ラインを構成する導電板２５Ａ〜２５Ｃ、および、導電板２６Ａ〜２６Ｃがそれぞれ電気的に接続される。
【００９５】
一方、本実施形態に用いる基本機能モジュール４および拡張機能モジュール５は、実施形態１で説明したものと同様であるので、共通する構成要素には同一の符号を付して、その説明は省略する。
【００９６】
而して、本実施形態において各機能モジュール４，５を固定するに当たっては、予め建物の適所（天井１００、壁１０１又は床１０２）に埋設してあるスイッチボックス９０から先行配線された電力線Ｌ１、情報線Ｌ２を引き出してゲート装置１に接続した後、このゲート装置１を取付枠７０を介してスイッチボックス９０に取り付ける。そして、基本構成２の配線システムで説明したのと同様の手順で取付枠７０にレール片９５Ａ，９５Ｂをねじ固定するとともに、各レール片９５Ａ，９５Ｂにそれぞれレール片９６Ａ，９７Ａとレール片９６Ｂ，９７Ｂとを連結して、レール部材９４Ａ，９４Ｂを組み立てる。
【００９７】
その後、ゲート装置１前面の各接続口２２，３２に対して、基本機能モジュール４の対応するコネクタ４２ａ，４２ｂを接続することにより、ゲート装置１の前面部を覆うようにして基本機能モジュール４を取り付けると、基本機能モジュール４の背面に設けた端子３３ａ，３３ｂがレール部材９４Ａの２３ａ，２４ａと接触して、電源ラインの導電板２３Ａ，２３Ｂ，２３Ｃと導電板２４Ａ，２４Ｂ，２４Ｃとが基本機能モジュール４およびゲート装置１を介して電力線Ｌ１に電気的に接続される。また同時に、基本機能モジュール４の背面に設けた端子３４ａ，３４ｂがレール部材９４Ｂの接続端子２５ａ，２６ａと接触して、情報ラインの導電板２５Ａ，２５Ｂ，２５Ｃと導電板２６Ａ，２６Ｂ，２６Ｃとが基本機能モジュール４およびゲート装置１を介して情報線Ｌ２に電気的に接続される。
【００９８】
次に、レール部材９４Ａ，９４Ｂの対応する取付位置に各拡張機能モジュール５ａ〜５ｃを配置して、取付片５１，５１’のねじ挿通孔５２に挿通した固定ねじ８５をレール片９６Ａ，９６Ｂのねじ孔９６ｅ、又は、レール片９７Ａ，９７Ｂのねじ孔９７ｃに締結すると、各拡張機能モジュール５ａ〜５ｃがレール部材９４Ａ，９４Ｂに固定される。この時、各拡張機能モジュール５ａ〜５ｃの上側の取付片５１，５１’に設けた端子３５ａ，３５ｂが、レール片９６Ａの端子２３ｃ，２４ｃ又はレール片９７Ａの端子２３ｂ，２４ｂに接触し、各拡張機能モジュール５ａ〜５ｃに導電板２３Ａ，２３Ｂ，２３Ｃと導電板２４Ａ，２４Ｂ，２４Ｃとを介して電力が供給される。また各拡張機能モジュール５ａ〜５ｃの下側の取付片５１，５１’に設けた端子３６ａ，３６ｂが、レール片９６Ｂの端子２５ｃ，２６ｃ又はレール片９７Ｂの端子２５ｂ，２６ｂに接触し、各拡張機能モジュール５ａ〜５ｃに導電板２５Ａ，２５Ｂ，２５Ｃと導電板２６Ａ，２６Ｂ，２６Ｃとを介して情報信号が伝達される。
【００９９】
このように本実施形態では、各拡張機能モジュール５ａ〜５ｃが取着されるレール部材９４Ａ，９４Ｂに、電力供給を行うための電源ライン（導電板２３Ａ，２３Ｂ，２３Ｃと導電板２４Ａ，２４Ｂ、２４Ｃ）と、情報信号の伝達を行うための情報ライン（導電板２５Ａ，２５Ｂ，２５Ｃと導電板２６Ａ，２６Ｂ、２６Ｃ）とを設け、取付枠７０にレール部材９４Ａ，９４Ｂを固定した後、取付枠７０に取着されたゲート装置１に基本機能モジュール４を取り付けるとともに、レール部材９４Ａ，９４Ｂに各拡張機能モジュール５ａ〜５ｃを取り付けることで、各機能モジュール４，５ａ…をレール部材９４Ａ，９４Ｂの電源ラインと情報ラインとにそれぞれ接続しているので、レール部材９４Ａ，９４Ｂに対して拡張機能モジュール５ａ…を取り付けるだけで、各拡張機能モジュール５ａ…の固定と電気的接続とを行うことができる。
【０１００】
また、本実施形態ではレール部材９４Ａを構成するレール片９５Ａ，９６Ａ，９７Ａに電源ラインを構成する導電板２３Ａ〜２３Ｃ、２４Ａ〜２４Ｃをインサート成形により埋設固定するとともに、レール部材９４Ｂを構成するレール片９５Ｂ，９６Ｂ，９７Ｂに情報ラインを構成する導電板２５Ａ〜２５Ｃ、２６Ａ〜２６Ｃをインサート成形により埋設固定しているので、レール部材９４Ａ，９４Ｂの機械的強度が向上し、複数の拡張機能モジュール５ａ…を並設した場合でもレール部材９４Ａ，９４Ｂが変形しにくくなり、造営面からの浮き上がりを防止できる。なお本実施形態では電源ラインおよび情報ラインを構成する導電板を全てレール部材９４Ａ，９４Ｂにインサート成形により埋設固定しているが、一部の導電板のみをインサート成形により埋設固定し、他の導電板はレール部材９４Ａ，９４Ｂの表面（前面又は後面）に絶縁した状態で取り付けるようにしても良い。
【０１０１】
なお本実施形態では電源ラインと情報ラインとを別々に設けているが、電源ラインが情報ラインを兼用して、電力線搬送通信により情報信号を伝達するようにしても良い。この場合は基本機能モジュール４においてコネクタ４２ｂと端子３４ａ，３４ｂとを無くし、コネクタ４２ａを介して接続される電力ラインを通じて電力線搬送通信により情報信号を伝達するＰＬＣモデム部（図示せず）を設けるとともに、拡張機能モジュール５において端子３６ａ，３６ｂを無くし、端子３５ａ，３５ｂを介して接続される電力ラインを通じて電力線搬送通信により情報信号を伝達するＰＬＣモデム部（図示せず）を設ければ良く、さらにレール部材９４Ｂでは導電板２５Ａ〜２５Ｃと導電板２６Ａ〜２６Ｃとを無くして、レール部材９４Ａにおいて電源ラインを構成する導電板２３Ａ〜２３Ｃと導電板２４Ａ〜２４Ｃをそれぞれレール片９５Ａ，９６Ａ，９７Ａに埋込配設すれば良い。
【図面の簡単な説明】
【０１０２】
【図１】基本構成１の配線システムに用いるゲート装置および拡張機能モジュールをプレート枠に取り付けた状態の正面図である。
【図２】同上に用いるプレート枠を示し、（ａ）は正面図、（ｂ）は断面図である。
【図３】同上に用いるゲート装置および拡張機能モジュールをプレート枠に取り付けた状態の正面図である。
【図４】同上の施工状態を示す正面図である。
【図５】同上の施工状態を示す側面図である。
【図６】同上に用いる基本機能モジュールをゲート装置から外した状態の斜視図である。
【図７】同上に用いる基本機能モジュールを裏側から見た斜視図である。
【図８】（ａ）は同上に用いる操作器型の拡張機能モジュールの正面図、（ｂ）は側面図である。
【図９】同上に用いるモニタ型の拡張機能モジュールの正面図である。
【図１０】同上に用いるゲート装置および基本機能モジュールのブロック図である。
【図１１】同上に用いる拡張機能モジュールのブロック図である。
【図１２】同上に用いる拡張機能モジュールの機能部の一例を示すブロック図である。
【図１３】同上に用いる拡張機能モジュールの機能部の他の構成を示すブロック図である。
【図１４】同上に用いる基本機能モジュールの他の構成を示すブロック図である。
【図１５】同上の施工例を示した説明図である。
【図１６】同上のシステム構成図である。
【図１７】実施形態１の配線システムに用いるプレート枠を示し、（ａ）は正面図、（ｂ）は断面図である。
【図１８】（ａ）は同上に用いる基本機能モジュールのブロック図、（ｂ）は拡張機能モジュールのブロック図である。
【図１９】同上に用いる基本機能モジュールを裏側から見た斜視図である。
【図２０】（ａ）（ｂ）は同上に用いる拡張機能モジュールの背面図である。
【図２１】基本構成２の配線システムに用いるレール部材を示し、（ａ）は正面図、（ｂ）は断面図である。
【図２２】同上のレール部材に機能モジュールを取り付けた状態の正面図である。
【図２３】同上の施工状態を示した説明図である。
【図２４】実施形態２の配線システムに用いるレール部材の正面図である。
【符号の説明】
【０１０３】
４  基本機能モジュール
５ａ〜５ｃ  拡張機能モジュール
８０  プレート枠
８０ａ，８０ｂ  枠部材
８３  枠片
【図１】
0004591341.tif 000002
【図２】
0004591341.tif 000003
【図３】
0004591341.tif 000004
【図４】
0004591341.tif 000005
【図５】
0004591341.tif 000006
【図６】
0004591341.tif 000007
【図７】
0004591341.tif 000008
【図８】
0004591341.tif 000009
【図９】
0004591341.tif 000010
【図１０】
0004591341.tif 000011
【図１１】
0004591341.tif 000012
【図１２】
0004591341.tif 000013
【図１３】
0004591341.tif 000014
【図１４】
0004591341.tif 000015
【図１５】
0004591341.tif 000016
【図１６】
0004591341.tif 000017
【図１７】
0004591341.tif 000018
【図１８】
0004591341.tif 000019
【図１９】
0004591341.tif 000020
【図２０】
0004591341.tif 000021
【図２１】
0004591341.tif 000022
【図２２】
0004591341.tif 000023
【図２３】
0004591341.tif 000024
【図２４】
0004591341.tif 000025